(57)【要約】【課題】ＦＰＣの使用材料費を安くできて導通不良の生じないバックライト構造を提供する。【解決手段】液晶表示装置１０の下面側に長穴からなる第一の開口部を有する保持枠４１を介して光の拡散シート４２、導光板４３、ＬＥＤ３４を差し込むための切欠部４４ａを有する光の反射体４４を積層して配設し、帯状のＦＰＣ３１に横に枝状に張り出した略Ｔの字形又は鉤の字形の突出部３１ｅを設け、該Ｔの字形又は鉤の字形の突出部３１ｅの先端部３１ｇ側に少なくとも一個のＬＥＤ３４を取付け、該突出部３１ｅを９０度にひねって曲げ、突出部３１ｅの先端部３１ｇを保持枠４１の第一の開口部４１ｂに納めて粘着テープ４５で固定すると共に、ＬＥＤ３４を反射体４４の切欠部４４ａから突出させて導光板４３の側面に配置する。また、突出部３１ｅをひねり曲げた部位を配する位置の保持枠４１の下面に凹部または第二の開口部を設ける。【選択図】        図１
2005010406.tif 000002
【特許請求の範囲】
【請求項１】
液晶表示装置の下面側に導光板とＬＥＤを備え、帯状のＦＰＣを前記液晶表示装置に装着して液晶表示駆動を行うバックライト付液晶表示装置において、前記ＦＰＣは帯の片端から横に枝状に張り出した略Ｔの字形又は鉤の字形の突出部を有し、該Ｔの字形又は鉤の字形の突出部の先端部側に少なくとも一個のＬＥＤを配設し、該突出部を９０度にひねり曲げて、突出部の先端部側に配設したＬＥＤを前記導光板の側面に配置したことを特徴とするバックライト付液晶表示装置。
【請求項２】
前記導光板を下面に長穴からなる第一の開口部を有する保持枠を介して前記液晶表示装置の下面側に配置し、前記保持枠の第一の開口部に沿って少なくとも１箇所の切欠部を設けた反射体を前記導光板下面と前記保持枠の底面との間に挟設し、前記ＦＰＣの突出部の先端部側に配設したＬＥＤを前記反射体の切欠部から突出させて前記導光板の側面に配置したことを特徴とする請求項１に記載のバックライト付液晶表示装置。
【請求項３】
前記保持枠の下面で、前記ＦＰＣの突出部を９０度にひねり曲げた部位が配される位置近傍に、凹部もしくは第二の開口部を設けたことを特徴とする請求項１又は２に記載のバックライト付液晶表示装置。
【請求項４】
前記ＬＥＤを配設した突出部の先端部は粘着テープを介して前記保持枠に固定したことを特徴とする請求項１、２、３のいずれかに記載のバックライト付液晶表示素子。
【発明の詳細な説明】
【０００１】
【発明の属する技術分野】
本発明は、バックライト付液晶表示装置のバックライトの取付構造に関する。
【０００２】
【従来の技術】
従来、液晶表示装置のバックライト構造に関し、表示装置によって色々な構造のものが用いられている。その一つに、下記の特許文献１に技術開示された構造のものがある。
【０００３】
【特許文献１】
特開２００１−２６４７５１号公報
【０００４】
図１１は従来技術である上記特許文献１に示されたバックライト付液晶表示装置を展開した平面図、図１２は、同じく、液晶表示装置の裏面を示す平面図、図１３は、同じく、バックライト付液晶表示装置の要部断面図、図１４は図１１における液晶表示装置の要部断面図を示したものである。
【０００５】
図１１、図１２、図１３、図１４より、このバックライト付液晶表示装置２０のバックライト構造は、ドライバＩＣ２ａ、２ｂを実装した液晶表示装置１０にＬＥＤチップ４を２個実装したＦＰＣ（Ｆｌｅｘｉｂｌｅ  Ｐｒｉｎｔ  Ｃｉｒｃｕｉｔ）３が取付いていて、ＦＰＣ３を折り曲げて液晶表示装置１０の裏面側に配設した導光部材７の裏面側に回し込んでいる。そして、ＦＰＣ３に実装したＬＥＤチップ４をちょうど導光部材７の側面に配置する構造になっている。この導光部材７は導光板と光反射シートとプリズムシートから成っており、側面から入射したＬＥＤチップ４の光が導光部材７の上面側に放射して液晶表示装置１０を照明する構造となっている。
【０００６】
ＦＰＣ３は、液晶表示装置１０と接合する接合部３ａとプリント基板（図中略）と接続するためのコネクタ用端子部３ｂを有しており、更に、このＦＰＣ３は両面配線タイプになっていて、上面側にはＬＥＤチップ４が２個、下面側には各種の回路部品５ａ、５ｂ、５ｃなどが実装されている。
【０００７】
また、液晶表示装置１０は、上面に信号電極１２ａを形成した信号基板１１ａと下面に走査電極１２ｂを形成した走査基板１１ｂとが対向して配置されており、シール材１５を介して液晶材料１３を封入した構造になっている。また、信号基板１１ａには延設部１１ａ１を有し、その延設部１１ａ１にＦＰＣ接続端子１６が形成され、更に、ドライバＩＣ２ａが実装されている。ＦＰＣ３はＦＰＣ接続端子１６と異方性導電膜を介して取付けられるようになっている。また、信号基板１１ａの下面には偏光板・位相差板１７ａが、走査基板１１ｂの上面には偏光板・位相差板１７ｂが設けられている。
【０００８】
【発明が解決しようとする課題】
図１５は、上記のように２個のＬＥＤチップ４を帯状のＦＰＣ３上に並列的に配設した場合の導通パターンの構造を示したものである。帯状のＦＰＣ３の両側にＬＥＤチップ４が２個取付けられており、ＬＥＤチップ４用の導通パターン３ｄがそれぞれ２本設けられている。ＬＥＤチップ４用の導通パターン３ｄの内側にある複数の導通パターン３ｃは液晶表示装置１０と接続する導通パターンである。通常、複数のＬＥＤチップを帯状のＦＰＣ上に並列的に複数配設した場合、ＬＥＤチップ毎にそれぞれ２本の導通パターンを設ける必要がある。即ち、ＬＥＤチップを２個配設すれば４本の導通パターンが、４個配設すれば８本の導通パターンが必要となる。
【０００９】
このことは、ＦＰＣの帯の幅Ｌを広くすることになってＦＰＣのコストを高くする。また、ＦＰＣの占有スペースも広く取り、小型化を図る上では阻害要因になる。
【００１０】
【課題を解決するための手段】
本発明は上記課題に鑑みて成されたもので、その目的とするところは、ＦＰＣの使用材料を少なくすると共に簡単なバックライト構造にして安いコストで製造すること、また、長期的使用の中でＦＰＣに損傷が生じない構造のバックライト付液晶表示装置を得るものである。この目的を達成する手段として、本発明の請求項１に係る発明は、液晶表示装置の下面側に導光板とＬＥＤを備え、帯状のＦＰＣを前記液晶表示装置に装着して液晶表示駆動を行うバックライト付液晶表示装置において、前記ＦＰＣは帯の片端から横に枝状に張り出した略Ｔの字形又は鉤の字形の突出部を有し、該Ｔの字形又は鉤の字形の突出部の先端部側に少なくとも一個のＬＥＤを配設し、該突出部を９０度にひねり曲げて、突出部の先端部側に配設したＬＥＤを前記導光板の側面に配置したことを特徴とするものである。
【００１１】
また、本発明の請求項２に係る発明は、前記導光板を下面に長穴からなる第一の開口部を有する保持枠を介して前記液晶表示装置の下面側に配置し、前記保持枠の第一の開口部に沿って少なくとも１箇所の切欠部を設けた反射体を前記導光板下面と前記保持枠の底面との間に挟設し、前記ＦＰＣの突出部の先端部側に配設したＬＥＤを前記反射体の切欠部から突出させて前記導光板の側面に配置したことを特徴とする
【００１２】
また、本発明の請求項３に係る発明は、前記保持枠の下面で、前記ＦＰＣの突出部を９０度にひねり曲げた部位が配される位置近傍に、凹部もしくは第二の開口部を設けたことを特徴とするものである。
【００１３】
また、本発明の請求項４に係る発明は、前記ＬＥＤを配設した突出部の先端部は粘着テープを介して前記保持枠に固定したことを特徴とするものである。
【００１４】
ＦＰＣを帯から横に張り出した略Ｔの字形又は鉤の字形の突出部を設けた形状にし、その突出部の先端部側にＬＥＤを配設し、突出部を９０度にひねり曲げて、突出部の先端部側に配設したＬＥＤを前記導光板の側面に配置する構造にすれば、ＦＰＣは配設するＬＥＤの個数に関係なく一定の幅で済ますことができる。従って、配設するＬＥＤの個数が多くなってもＦＰＣの幅を広げる必要もなく、材料費を押さえることができる。
【００１５】
また、下面に長穴からなる第一の開口部を設けた保持枠を介して導光板を液晶表示装置の下面側に配置し、更に、保持枠の長穴の第一の開口部に沿って少なくとも１箇所の切欠部を設けた反射体を導光板下面と保持枠の底面との間に挟設し、ＦＰＣの突出部の先端部側に配設したＬＥＤを反射体に設けた切欠部から突出させて導光板の側面に配置する構造にすることによって、新たな部品を追加することもなく、また、構造的にも簡単で、組立作業もやり易い。反射体に設ける切欠部はＬＥＤの個数分設ければ良い。
【００１６】
また、保持枠の下面で、ＦＰＣの突出部を９０度にひねり曲げた部位が配される位置近傍に、凹部もしくは第二の開口部を設けることによって、９０度にひねり曲げる部位の回りの空間域が広くなり、これによって、ひねり曲げる部分が湾曲状態に曲げることができる。ＦＰＣ上の導通パターンに無理がかからず、破断などが生じない。従って、長期的に良好な品質が維持できる。
【００１７】
また、ＬＥＤを配設した突出部の先端部を粘着テープを介して保持枠に固定することによって、これによってＬＥＤが固定される。また、保持枠に固定するので振動等によって動くこともなくなり、強度的にも安定した固定状態が得られる。また、作業として粘着テープで止めるだけであるので作業性も早く、組立コストも安くできる。
【００１８】
【発明の実施の形態】
以下、本発明の実施の形態を図１〜図１０を用いて説明する。図１は本発明の第１実施形態に係るバックライト付液晶表示装置の要部断面図、図２は図１におけるＦＰＣの展開平面図、図３は図２におけるＦＰＣを折り曲げたときの平面図、図４は図１におけるＦＰＣのみを取り出して示した要部斜視図、図５は図１における保持枠、導光板、反射体、ＦＰＣの組立分解図、図６は図１におけるＦＰＣ及び保持枠を裏面側より見た平面図、図７は図６におけるＢ−Ｂ断面の模式図を示したものである。尚、図６及び図７は粘着テープをしていないときの状態図を示している。図８はＦＰＣの要部断面図を示している。また、図９は本発明の第２実施形態に係るバックライト付液晶表示装置に使用するＦＰＣの展開平面図、図１０は図９におけるＦＰＣを折り曲げたときの平面図を示したものである。
【００１９】
図１に示すように、本発明の第１実施形態に係るバックライト付液晶表示装置５０は、液晶表示装置１０の下面に光の拡散シート４２、導光板４３、光の反射体４４が積層して配設されている。そして、これらの構成部品を保持枠４１でもって保持固定している。また、液晶表示装置１０にはＦＰＣ３１が異方導電接着剤を介して接着固定されている。ここでの液晶表示装置１０は従来例で示した液晶表示装置と同じ構成を取っている。また、ＦＰＣ３１の接着部位も従来例と同じになっている。
【００２０】
上記ＦＰＣ３１は図２に示す形状を取っている。このＦＰＣ３１は、点線枠Ｃで囲った部分の、表示装置１０に導通する複数の導通パターン３１ｃを縦長に整列形成した帯状のパターン集合部３１ａと、この帯状のパターン集合部３１ａの図中右片端から横に枝状に張り出した、点線枠Ｄで囲った部分の、略Ｔの字形の突出部３１ｅとから成っている。また、突出部３１ｅは枝元部３１ｆと先端部３１ｇから成り、枝元部３１ｆと先端部３１ｇでもって略Ｔの字形の形状を作っている。そして、先端部３１ｇにはＬＥＤ３４が、本実施の形態では、４個並列して取付けてある。この４個のＬＥＤ３４には２本の導通パターン３１ｄが接続しており、その導通パターン３１ｄは突出部３１ｅの先端部３１ｇから枝元部３１ｆを通って帯状のパターン集合部３１ａに延びている。
【００２１】
図３はＦＰＣ３１の突出部３１ｅを折り曲げた状態を示している。点線丸枠Ｅで囲った部分が折り曲げ部で、枝元部３１ｆの部分を９０度にひねって曲げている。９０度にひねって曲げているので、図２でＦＰＣ３１の上面側に取り付けたＬＥＤ３４は図３では裏面側にきている。
【００２２】
図４はＦＰＣ３１を図１の如く組み付けたときにおけるＦＰＣ３１の要部斜視図を示したものである。枝元部３１ｆを９０度にひねって湾曲するような形状に曲げると突出部３１ｅの先端部３１ｇに取付けたＬＥＤ３４は上面側に配置される。ＦＰＣ３１は略０．１３ｍｍの厚みであるので比較的自由にひねり曲げたり、折り曲げたりすることができる。
【００２３】
図５は導光板４３、反射体４４、保持枠４１、ＦＰＣ３１の組立分解図を示している。図５より、保持枠４１の底には、ＬＥＤが配設される側の側壁に沿って、長穴からなる第一の開口部４１ｂが設けられている。また、導光板４３と保持枠４１の底面に挟まれて配設される反射体４４には切欠部４４ａが、保持枠４１の第一の開口部４１ｂに沿った形で、本実施の形態では４個設けられている。この切欠部４４ａはＬＥＤ３４の個数分設けてある。この切欠部４４ａにＬＥＤ３４を差込んで、切欠部４４ａから突出させることによってＬＥＤ３４を導光板４３の側面に配置している。
【００２４】
図１より、保持枠４１には、第一の開口部４１ｂに沿って、更に側壁の下面側に段部４１ａが設けられている。そして、ＬＥＤ３４を反射体４４の切欠部４４ａに差し込んだとき、ＬＥＤ３４を取り付けたＦＰＣ３１の先端部３１ｇは開口部４１ｂの中にそっくり納まり、ＦＰＣ３１の先端部３１ｇは保持枠４１の段部４１ａ面と反射体４４の下面に当接して止まるようになっている。また、ＬＥＤ３４が動かないようにするために、片面粘着テープ４５で先端部３１ｇを保持枠４１に固定している。
【００２５】
次に、図６はＦＰＣ３１及び保持枠４１を裏面側より見た平面図を示している。また、図７は図６におけるＢ−Ｂ断面の断面模式図を示したものである。尚、ここでは粘着テープを取り除いて示してある。保持枠４１の下面側に引き回されたＦＰＣ３１の突出部３１ｅはその枝元部３１ｆで９０度にひねり曲げられ、ＬＥＤ３４を取付けたその先端部３１ｇが保持枠４１の第一の開口部４１ｂに納まる位置に配されてその中にそっくり納まる。
【００２６】
ＦＰＣ３１の突出部３１ｅの枝元部３１ｆが９０度にひねり曲げられた部位が配される保持枠４１の下面には、僅かに広い範囲で凹部（窪み）４１ｃが設けられている。この凹部４１ｃは、枝元部３１ｆをひねり曲げたときに湾曲状態で曲げられるよう、余裕の空間域として設けてある。
【００２７】
ＦＰＣ３１は、図８に示すように、ポリイミド樹脂からなるベースフィルム５８、樹脂接着剤からなる接着層５７、銅箔からなる導通パターン５６、半田メッキからなる接続層５３、樹脂接着剤からなる接着層５５、樹脂からなるカバーレイ５４などが積層して構成されている。厚みは全体で略０．１３ｍｍの厚みであるので比較的自由にひねり曲げたり、折り曲げたりすることができる。しかしながら、完全に１８０度に折り曲げると、銅箔でできた導通パターン５６が破断する危険性がある。この破断を防止する意味で少しでも湾曲状態に曲げることが好ましい。湾曲状態にあれば、ＦＰＣ３１に熱サイクルが加わっても、ベースフィルム５８と導通パターン５６との熱膨張率の違いを湾曲した曲率の変化で逃げることができ、また、導通パターン５６とベースフィルム５８とが剥離することも起きない。
【００２８】
枝元部３１ｆをひねり曲げる部位を配する保持枠４１の位置近傍の下面に凹部４１ｃを設けておくことによってひねり曲げる部分の空間域が広く取れる。これにより、９０度にひねり曲げたときに曲げ部３１ｆ１が折れることなく湾曲に曲がり、導通パターンの破断や導通不良の発生が防止できる。また、長期間の耐久性も維持できる。尚、本実施形態では、保持枠４１の下面に凹部４１ｃを設けたが、完全なる穴の第二開口部（第一の開口部と区別する意味で第二開口部と表現する）を設けても良い。開口部の方がその空間域が更に広く取れるのでその効果は増す。
【００２９】
ここで、上記の構成部品について説明する。保持枠４１はプラスチック材料で成形したもので、反射率が高い白色樹脂などで形成するのが好ましい。光の拡散シート４２、導光板４３は公知のものを適宜選択して使用するのが良い。光の反射体４４は反射率を高めた薄い金属板、反射率の高い比較的剛性のあるフィルムシートなどが好適に使用できる。本実施形態では白色顔料の入ったフィルムを使用している。反射体４４に設ける切欠部４４ａはＬＥＤ３４より僅かに大き目にしてＬＥＤ３４の個数分設けるのが良い。横長に１個設けることもできるが、光が外部に洩れるので好ましくない。
【００３０】
上記の構成を取るＦＰＣ３１の横幅Ｍは、図２において、Ｍ１＋Ｍ２＋Ｍ３の寸法値で設定される。Ｍ１は帯状のパターン集合部の幅で、液晶表示装置１０に導通する導通パターンの本数とＬＥＤ３４に導通する２本の導通パターンで決まり、ＬＥＤ３４の数に関係なくほぼ一定の寸法値に設定することができる。Ｍ２は枝元部３１ｆの長さを示すが、この長さは枝元部３１ｆの幅Ｒより大きいことが必要である。枝元部３１ｆの幅Ｒより小さいと９０度にひねり曲げることができない。枝元部３１ｆの幅Ｒは、２本の導通パターンを形成したものであるから、大きくても２．５〜３．０ｍｍの幅があれば十分である。従って、Ｍ２の寸法値は枝元部３１ｆの幅Ｒより僅かに大き目な寸法値に、即ち、３．０〜３．５ｍｍの範囲に設定することができる。次に、Ｍ３は先端部３１ｇの幅を示している。ＬＥＤ３４の幅とそれに並列的に導通させる２本の導通パターンの幅などを考慮して設計する。ＬＥＤ３４の幅はタイプによって異なるが、小さいもので０．８ｍｍ、大きいもので２．７ｍｍ位の幅である。従って、Ｍ３の寸法値を５．５〜６．０ｍｍ位に設計すれば２本の導通パターンや大き目のＬＥＤ３４を十分配置することができる。以上のことから、ＦＰＣ３１の横幅Ｍは、帯状のパターン集合部の幅Ｍ１に８．５〜９．５ｍｍプラスした幅ですむ。
【００３１】
従来技術で説明したＬＥＤの配置構造と比較すると、ＬＥＤを３個配置すると上記と略同じ幅となる。従って、ＬＥＤを４個以上配置する構造では本発明でのＦＰＣの方が幅を狭くできる。本発明のＦＰＣはＬＥＤの使用個数に関係なく一定の幅に仕上げることができる。従来のＦＰＣはＬＥＤの個数が増えればその分幅も広くなってコストも高くなるものであった。しかし、本発明のＦＰＣはＬＥＤの個数に関係なく一定のコストに押さえることができ、その分コストを下げることができる。
【００３２】
本実施形態においては、枝状の突出部３１ｅを図中帯状の導通パターン集合部３１ａの右端側に設けている。これを左端側に設けても同じ結果が得られる。
【００３３】
また、本実施形態においては、ＬＥＤを４個用いている。ＬＥＤが１個のものでも本発明のＦＰＣを使用することができる。従来例での複数本ある導通パターンの間にＬＥＤを取付ける構造は各々の導通パターンの形成する位置も全て変更しなければならない。これに対して、本発明のＦＰＣは突出部の大きさやＬＥＤの取付け位置だけを設定すれだけで良いので、比較的設計時間は短時間ですむ。また、標準化も図り易い。
【００３４】
また、本発明のバックライト構造は、枝状の突出部をひねり曲げて、そこに取付けてあるＬＥＤを上向きにし、反射体に設けた開口部にＬＥＤを差し込んで導光板の側面にＬＥＤを配置し、粘着テープで固定すると云う構造を取っている。構造そのものがシンプルであり、組立も簡単にできて、組立コストも安くできる。更にまた、ＦＰＣも湾曲状態で曲げることができるので導通不良なども発生せず、長期間の使用にも耐えられる。
【００３５】
更にまた、ＬＥＤを取付けた突出部の先端部は粘着テープで保持枠と一体的に固定している。従って、プリント基板（図示せず）まで引き回されるのはパターン集合部でなる一定幅の帯状のＦＰＣだけであるので多くのスペースを必要とせず、省スペースに向いたバックライト構造になっていると云える。
【００３６】
次に、図９と図１０に示すものは、本発明の第２実施形態に係るＦＰＣの展開平面図と折り曲げたときの平面図を示したものである。ここでのＦＰＣ６１は、枝状に張り出した突出部６１ｅが鉤の字の形状をしている。突出部６１ｅは枝元部６１ｆと先端部６１ｇから成っており、枝元部６１ｆと先端部６１ｇとで鉤の字の形状を示している。また、先端部６１ｇにＬＥＤ６４が図中３個取付けてある。ＬＥＤ６４に導通する導通パターン６１ｄは前述の第１実施形態の導通パターンと同じような形状で形成している。突出部６１ｅの折り曲げ方は、前述の第１形態の折り曲げ方と同じで、枝元部６１ｆを９０度にひねって湾曲になる形状で曲げている。
【００３７】
液晶表示装置のＦＰＣ取付け部位が隅の方にある場合は、上記鉤の字形の突出部を持ったＦＰＣが効果的に利用できる。
【００３８】
【発明の効果】
以上詳細に説明したように、帯状のＦＰＣに、横に枝状に張り出した略Ｔの字形或いは鉤の字形の突出部を設け、その突出部の先端部にＬＥＤを取付け、突出部を９０度にひねり曲げることによって、先端部に取付けたＬＥＤを導光板の側面に配置することができる。ＦＰＣをこのような形状にすることによって、ＦＰＣの使用材料幅を一定にし、ＬＥＤの取付け個数が多い場合にはＦＰＣの材料費を下げることができる。
【００３９】
また、液晶表示装置や導光板などを保持する保持枠に長穴の開口部を設け、更に、光の反射体に、保持枠の開口部に沿った位置で、ちょうどＬＥＤが差し込められる程度の切欠部を設けて、この切欠部からＦＰＣの突出部の先端部に取付けたＬＥＤを差し込んで導光板の側面にＬＥＤを配置する構造を取れば、少ない部品点数の中で効果的に導光板の側面にＬＥＤを配することができる。そして、ＬＥＤを取付けた先端部を粘着テープを介して保持枠と固定する構造にすることによって、ＬＥＤを確実に、強度的にも強く固定することができる。また、構造的にも簡単であるので組み立てコストも安くすることができる。また、省スペース向きのバックライト構造になっていると云える。
【００４０】
また、ＦＰＣの突出部を９０度にひねり曲げる部位を配する保持枠の下面に凹部或いは開口部を設けることによって、ひねり曲げる部位に広い空間域ができるので、湾曲状態で曲げることができる。そして、導通パターンの破断やベースフィルムとの剥離などを押さえることができて長期間に渡って良好な品質を維持することができる。
【図面の簡単な説明】
【図１】本発明の第１実施形態に係るバックライト付液晶表示装置の要部断面図である。
【図２】図１におけるＦＰＣの展開平面図である。
【図３】図２におけるＦＰＣを折り曲げたときの平面図である。
【図４】図１におけるＦＰＣのみを取り出して示した要部斜視図である。
【図５】図１における保持枠、導光板、反射体、ＦＰＣの組立分解図である。
【図６】図１におけるＦＰＣ及び保持枠を裏面側より見た平面図である。
【図７】図６におけるＢ−Ｂ断面の断面模式図である。
【図８】図１におけるＦＰＣの要部断面図である。
【図９】本発明の第２実施形態に係るバックライト付液晶表示装置に使用するＦＰＣの展開平面図である。
【図１０】図９におけるＦＰＣを折り曲げたときの平面図である。
【図１１】従来技術のバックライト付液晶表示装置の展開平面図である。
【図１２】従来技術のバックライト付液晶表示装置の裏面を示す平面図である。
【図１３】従来技術のバックライト付液晶表示装置の要部断面図である。
【図１４】図１１における液晶表示装置の要部断面図である。
【図１５】図１１におけるＦＰＣの導通パターンの構造を示す要部平面図である。
【符号の説明】
１０      液晶表示装置
３１、６１        ＦＰＣ
３１ａ、６１ａ    パターン集合部
３１ｃ、６１ｃ    導通パターン
３１ｄ、６１ｄ    導通パターン
３１ｅ、６１ｅ    突出部
３１ｆ、６１ｆ    枝元部
３１ｇ、６１ｇ    先端部
３４、６４        ＬＥＤ
４１      保持枠
４１ａ    段部
４１ｂ    第一の開口部
４１ｃ    凹部
４２      拡散シート
４３      導光板
４４      反射体
４４ａ    切欠部
４５      粘着テープ
５０      バックライト付液晶表示装置
【図１】
2005010406.tif 000003
【図２】
2005010406.tif 000004
【図３】
2005010406.tif 000005
【図４】
2005010406.tif 000006
【図５】
2005010406.tif 000007
【図６】
2005010406.tif 000008
【図７】
2005010406.tif 000009
【図８】
2005010406.tif 000010
【図９】
2005010406.tif 000011
【図１０】
2005010406.tif 000012
【図１１】
2005010406.tif 000013
【図１２】
2005010406.tif 000014
【図１３】
2005010406.tif 000015
【図１４】
2005010406.tif 000016
【図１５】
2005010406.tif 000017